【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
ワイヤレスネットワークにおいて通信するための方法であって、
前記ワイヤレスネットワークにおいて通信するためにネットワークエンティティからアップリンクリソース許可を受信することと、
前記アップリンクリソース許可に基づいてサブフレーム内のアップリンク送信のための送信時間間隔（ＴＴＩ）を決定することと、ここにおいて、前記ＴＴＩが、前記サブフレーム中の複数のシンボルのサブセットである１つまたは複数のシンボルを備える第１のＴＴＩである、
前記ワイヤレスネットワークにおいて通信するために前記ネットワークエンティティから第２のアップリンクリソース許可を受信することと、
前記第２のアップリンクリソース許可に基づいて第２のアップリンク送信のための第２のＴＴＩを決定することと、ここにおいて、前記第２のＴＴＩが前記サブフレームを備える、
前記ＴＴＩの間に前記アップリンクリソース許可において指定されたリソースを介して前記ネットワークエンティティに通信を送信することと
を備え、前記通信を送信することは、前記第２のアップリンクリソース許可において指定された前記リソースを介した通信の送信よりも、前記第１のＴＴＩに関係する前記アップリンクリソース許可において指定された前記リソースを介した通信の送信を優先させることを備える、方法。
【請求項２】
前記ＴＴＩの持続時間は、シンボル持続時間、２シンボル持続時間、またはスロット持続時間のうちの少なくとも１つを備え、前記サブフレームが２つのスロットを備える、請求項１に記載の方法。
【請求項３】
前記ＴＴＩにおける前記１つまたは複数のシンボルの各々は、直交周波数分割多重化（ＯＦＤＭ）シンボルまたはシングルキャリア周波数分割多重化（ＳＣ−ＦＤＭ）シンボルのうちの１つに基づく、請求項１に記載の方法。
【請求項４】
前記アップリンクリソース許可は、１つまたは複数のアップリンクチャネル上における制御またはデータ送信のために前記１つまたは複数のシンボルの少なくとも一部分内の１つまたは複数のリソースブロック（ＲＢ）グループを割り振り、前記１つまたは複数のＲＢグループの各々は、複数のＲＢを備える、請求項１に記載の方法。
【請求項５】
前記アップリンクリソース許可は、少なくとも２つのＲＢグループを割り振り、前記少なくとも２つのＲＢグループは、周波数において連続している、請求項４に記載の方法。
【請求項６】
前記１つまたは複数のＲＢグループは、実質的に等しい数のＲＢを各々が有する２つ以上のＲＢグループを備える、請求項４に記載の方法。
【請求項７】
前記１つまたは複数のＲＢグループの各々は、ある数のＲＢを備え、前記数が２、３、または５の整数倍である、請求項４に記載の方法。
【請求項８】
前記アップリンクリソース許可の構成された開始オフセットまたはシステム帯域幅のうちの少なくとも１つに基づいて、前記１つまたは複数のＲＢグループのサイズを決定することをさらに備える、請求項４に記載の方法。
【請求項９】
シンボルタイプに基づいて、前記１つまたは複数のＲＢグループのサイズを決定することをさらに備え、前記シンボルタイプが、サウンディング基準信号（ＳＲＳ）送信のために構成可能な第１のタイプ、またはＳＲＳ送信のために構成可能ではない第２のタイプを備える、請求項４に記載の方法。
【請求項１０】
前記アップリンクリソース許可を受信することは、多段階リソース許可の一部であり、第１段階の許可が変調およびコーディング方式（ＭＣＳ）、送信電力制御、またはプリコーディング情報のうちの少なくとも１つを含み、第２段階の許可が新規データインジケータ、ハイブリッド自動再送／要求（ＨＡＲＱ）プロセスアイデンティティ、デルタＭＣＳ、復調基準信号サイクリックシフト、ＵＬＬ基準信号トリガリングインジケータ、非周期的チャネル状態情報トリガリングインジケータ、もしくは前記アップリンクリソース許可における割り振られたリソースの指示、またはそれらの任意の組合せのうちの少なくとも１つを含む、請求項１に記載の方法。
【請求項１１】
トランスポートブロックサイズ（ＴＢＳ）スケーリング係数を決定することをさらに備え、前記通信を送信することが、前記ＴＢＳスケーリング係数に基づいて計算されたＴＢＳに少なくとも部分的に基づく、請求項１に記載の方法。
【請求項１２】
前記第１のＴＴＩに関係する前記アップリンクリソース許可において指定された前記リソースを介した前記通信と並行して、前記第２のＴＴＩの間に前記第２のアップリンクリソース許可において指定された前記リソースを介して前記ネットワークエンティティに他の通信を送信することをさらに備える、請求項１に記載の方法。
【請求項１３】
優先させることは、前記ＴＴＩまたは前記第２のＴＴＩの間に前記第２のアップリンクリソース許可において指定された前記リソースを介した通信の送信をドロップすることを備える、請求項１に記載の方法。
【請求項１４】
前記第２のアップリンクリソース許可は、ロングタームエボリューションにおいて、物理アップリンク制御チャネル、物理アップリンク共有チャネル、またはサウンディング基準信号のうちの１つに対応する、請求項１に記載の方法。
【請求項１５】
前記ＴＴＩにわたるチャネル推定または干渉推定のうちの少なくとも１つを容易にするために、前記アップリンクリソース許可に対応する変調シンボルのセットで１つまたは複数の変調シンボルをパンクチャすることをさらに備える、請求項１に記載の方法。
【請求項１６】
前記１つまたは複数の変調シンボルは、１つまたは複数の決定された値を有する、請求項１５に記載の方法。
【請求項１７】
前記１つまたは複数の変調シンボルは、前記アップリンクリソース許可に対応する変調次数よりも低い前記変調次数を有する、請求項１５に記載の方法。
【請求項１８】
ワイヤレスネットワークにおいて通信するためのユーザ機器であって、
トランシーバと、
前記ワイヤレスネットワークにおいて通信するためのバスを介して前記トランシーバと通信可能に結合された少なくとも１つのプロセッサと、
前記バスを介して前記少なくとも１つのプロセッサおよび／または前記トランシーバと通信可能に結合されたメモリと
を備え、
前記少なくとも１つのプロセッサおよび前記メモリは、
前記トランシーバを介して、前記ワイヤレスネットワークにおいて通信するためにネットワークエンティティからアップリンクリソース許可を受信することと、
前記アップリンクリソース許可に基づいてサブフレーム内のアップリンク送信のための送信時間間隔（ＴＴＩ）を決定することと、ここにおいて、前記ＴＴＩが、前記サブフレーム中の複数のシンボルのサブセットである１つまたは複数のシンボルを備える第１のＴＴＩである、
前記ワイヤレスネットワークにおいて通信するために前記ネットワークエンティティから第２のアップリンクリソース許可を受信することと、
前記第２のアップリンクリソース許可に基づいて第２のアップリンク送信のための第２のＴＴＩを決定することと、ここにおいて、前記第２のＴＴＩが前記サブフレームを備える、
前記トランシーバを介して、前記ＴＴＩの間に前記アップリンクリソース許可において指定されたリソースを介して前記ネットワークエンティティに通信を送信することと
を行うように動作可能であり、前記少なくとも１つのプロセッサおよび前記メモリは、前記第２のアップリンクリソース許可において指定された前記リソースを介した通信の送信よりも、前記第１のＴＴＩに関係する前記アップリンクリソース許可において指定された前記リソースを介した通信の送信を優先させることによって、前記通信を、少なくとも部分的に、送信するように動作可能である、ユーザ機器。
【請求項１９】
前記ＴＴＩの持続時間は、シンボル持続時間、２シンボル持続時間、またはスロット持続時間のうちの少なくとも１つを備え、前記サブフレームが２つのスロットを備える、請求項１８に記載のユーザ機器。
【請求項２０】
前記ＴＴＩにおける前記１つまたは複数のシンボルの各々は、直交周波数分割多重化（ＯＦＤＭ）シンボルまたはシングルキャリア周波数分割多重化（ＳＣ−ＦＤＭ）シンボルのうちの１つに基づく、請求項１８に記載のユーザ機器。
【請求項２１】
前記アップリンクリソース許可は、１つまたは複数のアップリンクチャネル上における制御またはデータ送信のために前記１つまたは複数のシンボルの少なくとも一部分内の１つまたは複数のリソースブロック（ＲＢ）グループを割り振り、前記１つまたは複数のＲＢグループの各々は、複数のＲＢを備える、請求項１８に記載のユーザ機器。
【請求項２２】
前記アップリンクリソース許可は、少なくとも２つのＲＢグループを割り振り、前記少なくとも２つのＲＢグループは、周波数において連続している、請求項２１に記載のユーザ機器。
【請求項２３】
前記１つまたは複数のＲＢグループは、実質的に等しい数のＲＢを各々が有する２つ以上のＲＢグループを備える、請求項２１に記載のユーザ機器。
【請求項２４】
前記１つまたは複数のＲＢグループの各々は、ある数のＲＢを備え、前記数が２、３、または５の整数倍である、請求項２１に記載のユーザ機器。
【請求項２５】
前記少なくとも１つのプロセッサおよび前記メモリは、前記アップリンクリソース許可の構成された開始オフセットまたはシステム帯域幅のうちの少なくとも１つに基づいて、前記１つまたは複数のＲＢグループのサイズを決定するようにさらに動作可能である、請求項２１に記載のユーザ機器。
【請求項２６】
前記少なくとも１つのプロセッサおよび前記メモリは、シンボルタイプに基づいて、前記１つまたは複数のＲＢグループのサイズを決定するようにさらに動作可能であり、前記シンボルタイプが、サウンディング基準信号（ＳＲＳ）送信のために構成可能な第１のタイプ、またはＳＲＳ送信のために構成可能ではない第２のタイプを備える、請求項２１に記載のユーザ機器。
【請求項２７】
前記少なくとも１つのプロセッサおよび前記メモリは、多段階リソース許可の一部として前記アップリンクリソース許可を受信するように動作可能であり、第１段階の許可が変調およびコーディング方式（ＭＣＳ）、送信電力制御、またはプリコーディング情報のうちの少なくとも１つを含み、第２段階の許可が新規データインジケータ、ハイブリッド自動再送／要求（ＨＡＲＱ）プロセスアイデンティティ、デルタＭＣＳ、復調基準信号サイクリックシフト、ＵＬＬ基準信号トリガリングインジケータ、非周期的チャネル状態情報トリガリングインジケータ、もしくは前記アップリンクリソース許可における割り振られたリソースの指示、またはそれらの任意の組合せのうちの少なくとも１つを含む、請求項１８に記載のユーザ機器。
【請求項２８】
前記少なくとも１つのプロセッサおよび前記メモリは、トランスポートブロックサイズ（ＴＢＳ）スケーリング係数を決定し、前記ＴＢＳスケーリング係数に基づいて計算されたＴＢＳに少なくとも部分的に基づいて前記通信を送信するようにさらに動作可能である、請求項１８に記載のユーザ機器。
【請求項２９】
前記少なくとも１つのプロセッサおよび前記メモリは、前記トランシーバを介して、前記第１のＴＴＩに関係する前記アップリンクリソース許可において指定された前記リソースを介した前記通信と並行して、前記第２のＴＴＩの間に前記第２のアップリンクリソース許可において指定された前記リソースを介して前記ネットワークエンティティに他の通信を送信するようにさらに動作可能である、請求項１８に記載のユーザ機器。
【請求項３０】
前記少なくとも１つのプロセッサおよび前記メモリは、前記ＴＴＩまたは前記第２のＴＴＩの間に前記第２のアップリンクリソース許可において指定された前記リソースを介した通信の送信をドロップすることによって、通信の前記送信を、少なくとも部分的に、優先させるように動作可能である、請求項１８に記載のユーザ機器。
【請求項３１】
前記第２のアップリンクリソース許可は、ロングタームエボリューションにおいて、物理アップリンク制御チャネル、物理アップリンク共有チャネル、またはサウンディング基準信号のうちの１つに対応する、請求項１８に記載のユーザ機器。
【請求項３２】
前記少なくとも１つのプロセッサおよび前記メモリは、前記ＴＴＩにわたるチャネル推定または干渉推定のうちの少なくとも１つを容易にするために、前記アップリンクリソース許可に対応する変調シンボルのセットで１つまたは複数の変調シンボルをパンクチャするようにさらに動作可能である、請求項１８に記載のユーザ機器。
【請求項３３】
前記１つまたは複数の変調シンボルは、１つまたは複数の決定された値を有する、請求項３２に記載のユーザ機器。
【請求項３４】
前記１つまたは複数の変調シンボルは、前記アップリンクリソース許可に対応する変調次数よりも低い前記変調次数を有する、請求項３２に記載のユーザ機器。
【請求項３５】
ワイヤレスネットワークにおいて通信するためのユーザ機器であって、
前記ワイヤレスネットワークにおいて通信するためにネットワークエンティティからアップリンクリソース許可を受信するための手段と、
前記アップリンクリソース許可に基づいてサブフレーム内のアップリンク送信のための送信時間間隔（ＴＴＩ）を決定するための手段と、ここにおいて、前記ＴＴＩが、前記サブフレーム中の複数のシンボルのサブセットである１つまたは複数のシンボルを備える第１のＴＴＩである、
前記ワイヤレスネットワークにおいて通信するために前記ネットワークエンティティから第２のアップリンクリソース許可を受信するための手段と、
前記第２のアップリンクリソース許可に基づいて第２のアップリンク送信のための第２のＴＴＩを決定するための手段と、ここにおいて、前記第２のＴＴＩが前記サブフレームを備える、
前記ＴＴＩの間に前記アップリンクリソース許可において指定されたリソースを介して前記ネットワークエンティティに通信を送信するための手段と
を備え、送信するための前記手段は、前記第２のアップリンクリソース許可において指定された前記リソースを介した通信の送信よりも、前記第１のＴＴＩに関係する前記アップリンクリソース許可において指定された前記リソースを介した通信の送信を優先させることによって、少なくとも部分的に、前記通信を送信する、ユーザ機器。
【請求項３６】
前記ＴＴＩの持続時間は、シンボル持続時間、２シンボル持続時間、またはスロット持続時間のうちの少なくとも１つを備え、前記サブフレームが２つのスロットを備える、請求項３５に記載のユーザ機器。
【請求項３７】
前記ＴＴＩにおける前記１つまたは複数のシンボルの各々は、直交周波数分割多重化（ＯＦＤＭ）シンボルまたはシングルキャリア周波数分割多重化（ＳＣ−ＦＤＭ）シンボルのうちの１つに基づく、請求項３５に記載のユーザ機器。
【請求項３８】
前記アップリンクリソース許可は、１つまたは複数のアップリンクチャネル上における制御またはデータ送信のために前記１つまたは複数のシンボルの少なくとも一部分内の１つまたは複数のリソースブロック（ＲＢ）グループを割り振り、前記１つまたは複数のＲＢグループの各々は、複数のＲＢを備える、請求項３５に記載のユーザ機器。
【請求項３９】
前記アップリンクリソース許可を受信するための前記手段は、多段階リソース許可の一部として前記アップリンクリソース許可を受信し、第１段階の許可が変調およびコーディング方式（ＭＣＳ）、送信電力制御、またはプリコーディング情報のうちの少なくとも１つを含み、第２段階の許可が新規データインジケータ、ハイブリッド自動再送／要求（ＨＡＲＱ）プロセスアイデンティティ、デルタＭＣＳ、復調基準信号サイクリックシフト、ＵＬＬ基準信号トリガリングインジケータ、非周期的チャネル状態情報トリガリングインジケータ、もしくは前記アップリンクリソース許可における割り振られたリソースの指示、またはそれらの任意の組合せのうちの少なくとも１つを含む、請求項３５に記載のユーザ機器。
【請求項４０】
トランスポートブロックサイズ（ＴＢＳ）スケーリング係数を決定するための手段をさらに備え、送信するための前記手段が、前記ＴＢＳスケーリング係数に基づいて計算されたＴＢＳに少なくとも部分的に基づいて前記通信を送信する、請求項３５に記載のユーザ機器。
【請求項４１】
前記ＴＴＩにわたるチャネル推定または干渉推定のうちの少なくとも１つを容易にするために、前記アップリンクリソース許可に対応する変調シンボルのセットで１つまたは複数の変調シンボルをパンクチャするための手段をさらに備える、請求項３５に記載のユーザ機器。
【請求項４２】
ワイヤレスネットワークにおいて通信するためのコンピュータ実行可能コードを備える非一時的コンピュータ可読記憶媒体であって、前記コードは、
前記ワイヤレスネットワークにおいて通信するためにネットワークエンティティからアップリンクリソース許可を受信するためのコードと、
前記アップリンクリソース許可に基づいてサブフレーム内のアップリンク送信のための送信時間間隔（ＴＴＩ）を決定するためのコードと、ここにおいて、前記ＴＴＩが、前記サブフレーム中の複数のシンボルのサブセットである１つまたは複数のシンボルを備える第１のＴＴＩである、
前記ワイヤレスネットワークにおいて通信するために前記ネットワークエンティティから第２のアップリンクリソース許可を受信するためのコードと、
前記第２のアップリンクリソース許可に基づいて第２のアップリンク送信のための第２のＴＴＩを決定するためのコードと、ここにおいて、前記第２のＴＴＩが前記サブフレームを備える、
前記ＴＴＩの間に前記アップリンクリソース許可において指定されたリソースを介して前記ネットワークエンティティに通信を送信するためのコードと
を備え、送信するための前記コードは、前記第２のアップリンクリソース許可において指定された前記リソースを介した通信の送信よりも、前記第１のＴＴＩに関係する前記アップリンクリソース許可において指定された前記リソースを介した通信の送信を優先させることによって、少なくとも部分的に、前記通信を送信する、非一時的コンピュータ可読記憶媒体。
【請求項４３】
前記ＴＴＩの持続時間は、シンボル持続時間、２シンボル持続時間、またはスロット持続時間のうちの少なくとも１つを備え、前記サブフレームが２つのスロットを備える、請求項４２に記載の非一時的コンピュータ可読記憶媒体。
【請求項４４】
前記ＴＴＩにおける前記１つまたは複数のシンボルの各々は、直交周波数分割多重化（ＯＦＤＭ）シンボルまたはシングルキャリア周波数分割多重化（ＳＣ−ＦＤＭ）シンボルのうちの１つに基づく、請求項４２に記載の非一時的コンピュータ可読記憶媒体。
【請求項４５】
前記アップリンクリソース許可は、１つまたは複数のアップリンクチャネル上における制御またはデータ送信のために前記１つまたは複数のシンボルの少なくとも一部分内の１つまたは複数のリソースブロック（ＲＢ）グループを割り振り、前記１つまたは複数のＲＢグループの各々は、複数のＲＢを備える、請求項４２に記載の非一時的コンピュータ可読記憶媒体。
【請求項４６】
前記アップリンクリソース許可を受信するための前記コードは、多段階リソース許可の一部として前記アップリンクリソース許可を受信し、第１段階の許可が変調およびコーディング方式（ＭＣＳ）、送信電力制御、またはプリコーディング情報のうちの少なくとも１つを含み、第２段階の許可が新規データインジケータ、ハイブリッド自動再送／要求（ＨＡＲＱ）プロセスアイデンティティ、デルタＭＣＳ、復調基準信号サイクリックシフト、ＵＬＬ基準信号トリガリングインジケータ、非周期的チャネル状態情報トリガリングインジケータ、もしくは前記アップリンクリソース許可における割り振られたリソースの指示、またはそれらの任意の組合せのうちの少なくとも１つを含む、請求項４２に記載の非一時的コンピュータ可読記憶媒体。
【請求項４７】
トランスポートブロックサイズ（ＴＢＳ）スケーリング係数を決定するためのコードをさらに備え、送信するためのコードが、前記ＴＢＳスケーリング係数に基づいて計算されたＴＢＳに少なくとも部分的に基づいて前記通信を送信する、請求項４２に記載の非一時的コンピュータ可読記憶媒体。
【請求項４８】
前記ＴＴＩにわたるチャネル推定または干渉推定のうちの少なくとも１つを容易にするために、前記アップリンクリソース許可に対応する変調シンボルのセットで１つまたは複数の変調シンボルをパンクチャするためのコードをさらに備える、請求項４２に記載の非一時的コンピュータ可読記憶媒体。
【請求項４９】
前記アップリンクリソース許可は、少なくとも２つのＲＢグループを割り振り、前記少なくとも２つのＲＢグループは、周波数において連続している、請求項３８に記載のユーザ機器。
【請求項５０】
前記１つまたは複数のＲＢグループは、実質的に等しい数のＲＢを各々が有する２つ以上のＲＢグループを備える、請求項３８に記載のユーザ機器。
【請求項５１】
前記１つまたは複数のＲＢグループの各々は、ある数のＲＢを備え、前記数が２、３、または５の整数倍である、請求項３８に記載のユーザ機器。
【請求項５２】
前記アップリンクリソース許可の構成された開始オフセットまたはシステム帯域幅のうちの少なくとも１つに基づいて、前記１つまたは複数のＲＢグループのサイズを決定するための手段をさらに備える、請求項３８に記載のユーザ機器。
【請求項５３】
シンボルタイプに基づいて、前記１つまたは複数のＲＢグループのサイズを決定するための手段をさらに備え、前記シンボルタイプが、サウンディング基準信号（ＳＲＳ）送信のために構成可能な第１のタイプ、またはＳＲＳ送信のために構成可能ではない第２のタイプを備える、請求項３８に記載のユーザ機器。
【請求項５４】
前記第１のＴＴＩに関係する前記アップリンクリソース許可において指定された前記リソースを介した前記通信と並行して、前記第２のＴＴＩの間に前記第２のアップリンクリソース許可において指定された前記リソースを介して前記ネットワークエンティティに他の通信を送信するための手段をさらに備える、請求項３５に記載のユーザ機器。
【請求項５５】
送信するための前記手段は、前記ＴＴＩまたは前記第２のＴＴＩの間に前記第２のアップリンクリソース許可において指定された前記リソースを介した通信の送信をドロップすることによって、少なくとも部分的に、優先させる、請求項３５に記載のユーザ機器。
【請求項５６】
前記第２のアップリンクリソース許可は、ロングタームエボリューションにおいて、物理アップリンク制御チャネル、物理アップリンク共有チャネル、またはサウンディング基準信号のうちの１つに対応する、請求項３５に記載のユーザ機器。
【請求項５７】
前記１つまたは複数の変調シンボルは、１つまたは複数の決定された値を有する、請求項４１に記載のユーザ機器。
【請求項５８】
前記１つまたは複数の変調シンボルは、前記アップリンクリソース許可に対応する変調次数よりも低い前記変調次数を有する、請求項４１に記載のユーザ機器。
【請求項５９】
前記アップリンクリソース許可は、少なくとも２つのＲＢグループを割り振り、前記少なくとも２つのＲＢグループは、周波数において連続している、請求項４５に記載の非一時的コンピュータ可読記憶媒体。
【請求項６０】
前記１つまたは複数のＲＢグループは、実質的に等しい数のＲＢを各々が有する２つ以上のＲＢグループを備える、請求項４５に記載の非一時的コンピュータ可読記憶媒体。
【請求項６１】
前記１つまたは複数のＲＢグループの各々は、ある数のＲＢを備え、前記数が２、３、または５の整数倍である、請求項４５に記載の非一時的コンピュータ可読記憶媒体。
【請求項６２】
前記アップリンクリソース許可の構成された開始オフセットまたはシステム帯域幅のうちの少なくとも１つに基づいて、前記１つまたは複数のＲＢグループのサイズを決定するための手段をさらに備える、請求項４５に記載の非一時的コンピュータ可読記憶媒体。
【請求項６３】
シンボルタイプに基づいて、前記１つまたは複数のＲＢグループのサイズを決定するための手段をさらに備え、前記シンボルタイプが、サウンディング基準信号（ＳＲＳ）送信のために構成可能な第１のタイプ、またはＳＲＳ送信のために構成可能ではない第２のタイプを備える、請求項４５に記載の非一時的コンピュータ可読記憶媒体。
【請求項６４】
前記第１のＴＴＩに関係する前記アップリンクリソース許可において指定された前記リソースを介した前記通信と並行して、前記第２のＴＴＩの間に前記第２のアップリンクリソース許可において指定された前記リソースを介して前記ネットワークエンティティに他の通信を送信するための手段をさらに備える、請求項４２に記載の非一時的コンピュータ可読記憶媒体。
【請求項６５】
送信するための前記手段は、前記ＴＴＩまたは前記第２のＴＴＩの間に前記第２のアップリンクリソース許可において指定された前記リソースを介した通信の送信をドロップすることによって、少なくとも部分的に、優先させる、請求項４２に記載の非一時的コンピュータ可読記憶媒体。
【請求項６６】
前記第２のアップリンクリソース許可は、ロングタームエボリューションにおいて、物理アップリンク制御チャネル、物理アップリンク共有チャネル、またはサウンディング基準信号のうちの１つに対応する、請求項４２に記載の非一時的コンピュータ可読記憶媒体。
【請求項６７】
前記１つまたは複数の変調シンボルは、１つまたは複数の決定された値を有する、請求項４８に記載の非一時的コンピュータ可読記憶媒体。
【請求項６８】
前記１つまたは複数の変調シンボルは、前記アップリンクリソース許可に対応する変調次数よりも低い前記変調次数を有する、請求項４８に記載の非一時的コンピュータ可読記憶媒体。
【手続補正２】
【補正対象書類名】明細書
【補正対象項目名】０１２８
【補正方法】変更
【補正の内容】
【０１２８】
[00143]以上の説明は、本明細書で説明された様々な態様を当業者が実施できるようにするために提供されている。これらの態様への様々な変更は当業者には容易に明らかであり、本明細書で定義された一般的原理は他の態様に適用され得る。したがって、特許請求の範囲は、本明細書で示された態様に限定されるものではなく、クレーム文言に矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という用語は１つまたは複数を指している。当業者に知られている、または後に知られることになる、本明細書で説明された様々な態様の要素に対するすべての構造的および機能的均等物が、参照によって本明細書に明確に組み込まれ、特許請求の範囲によって包含されることが意図される。その上、本明細書において開示されるものは、そのような開示が特許請求の範囲において明示的に列挙されているかどうかにかかわらず、公に供されることは意図されていない。「ための手段」という句を使用して要素が明確に列挙されていない限り、いかなるクレーム要素もミーンズプラスファンクションとして解釈されるべきではない。
以下に本願の出願当初の特許請求の範囲に記載された発明を付記する。
［Ｃ１］
ワイヤレスネットワークにおいて通信するための方法であって、
前記ワイヤレスネットワークにおいて通信するためにネットワークエンティティからアップリンクリソース許可を受信することと、
前記アップリンクリソース許可に基づいてサブフレーム内のアップリンク送信のための送信時間間隔（ＴＴＩ）を決定することと、ここにおいて、前記ＴＴＩが、前記サブフレーム中の複数のシンボルのサブセットである１つまたは複数のシンボルを備える、
前記ＴＴＩの間に前記アップリンクリソース許可において指定されたリソースを介して前記ネットワークエンティティに通信を送信することと
を備える方法。
［Ｃ２］
前記ＴＴＩの持続時間は、シンボル持続時間、２シンボル持続時間、またはスロット持続時間のうちの少なくとも１つを備え、前記サブフレームが２つのスロットを備える、Ｃ１に記載の方法。
［Ｃ３］
前記ＴＴＩにおける前記１つまたは複数のシンボルの各々は、直交周波数分割多重化（ＯＦＤＭ）シンボルまたはシングルキャリア周波数分割多重化（ＳＣ−ＦＤＭ）シンボルのうちの１つに基づく、Ｃ１に記載の方法。
［Ｃ４］
前記アップリンクリソース許可は、１つまたは複数のアップリンクチャネル上における制御またはデータ送信のために前記１つまたは複数のシンボルの少なくとも一部分の中に１つまたは複数のリソースブロック（ＲＢ）グループを割り振り、前記１つまたは複数のＲＢグループの各々は、複数のＲＢを備える、Ｃ１に記載の方法。
［Ｃ５］
前記アップリンクリソース許可は、少なくとも２つのＲＢグループを割り振り、前記少なくとも２つのＲＢグループは、周波数において連続している、Ｃ４に記載の方法。
［Ｃ６］
前記１つまたは複数のＲＢグループは、実質的に等しい数のＲＢを各々が有する２つ以上のＲＢグループを備える、Ｃ４に記載の方法。
［Ｃ７］
前記１つまたは複数のＲＢグループの各々は、ある数のＲＢを備え、前記数が２、３、または５の整数倍である、Ｃ４に記載の方法。
［Ｃ８］
前記アップリンクリソース許可の構成された開始オフセットまたはシステム帯域幅のうちの少なくとも１つに基づいて、前記１つまたは複数のＲＢグループのサイズを決定することをさらに備える、Ｃ４に記載の方法。
［Ｃ９］
シンボルタイプに基づいて、前記１つまたは複数のＲＢグループのサイズを決定することをさらに備え、前記シンボルタイプが、サウンディング基準信号（ＳＲＳ）送信のために構成可能な第１のタイプ、またはＳＲＳ送信のために構成可能ではない第２のタイプを備える、Ｃ４に記載の方法。
［Ｃ１０］
前記アップリンクリソース許可を受信することは、多段階リソース許可の一部であり、第１段階の許可が変調およびコーディング方式（ＭＣＳ）、送信電力制御、またはプリコーディング情報のうちの少なくとも１つを含み、第２段階の許可が新規データインジケータ、ハイブリッド自動再送／要求（ＨＡＲＱ）プロセスアイデンティティ、デルタＭＣＳ、復調基準信号サイクリックシフト、ＵＬＬ基準信号トリガリングインジケータ、非周期的チャネル状態情報トリガリングインジケータ、もしくは前記アップリンクリソース許可における割り振られたリソースの指示、またはそれらの任意の組合せのうちの少なくとも１つを含む、Ｃ１に記載の方法。
［Ｃ１１］
トランスポートブロックサイズ（ＴＢＳ）スケーリング係数を決定することをさらに備え、前記通信を送信することが、前記ＴＢＳスケーリング係数に基づいて計算されたＴＢＳに少なくとも部分的に基づく、Ｃ１に記載の方法。
［Ｃ１２］
前記ＴＴＩを決定することは、第１のＴＴＩを決定することを備え、前記方法は、
前記ワイヤレスネットワークにおいて通信するために前記ネットワークエンティティから第２のアップリンクリソース許可を受信することと、
前記第２のアップリンクリソース許可に基づいて第２のアップリンク送信のための第２のＴＴＩを決定することと、ここにおいて、前記第２のＴＴＩが前記サブフレームを備える、
をさらに備える、Ｃ１に記載の方法。
［Ｃ１３］
前記第１のＴＴＩに関係する前記アップリンクリソース許可において指定された前記リソースを介した前記通信と並行して、前記第２のＴＴＩの間に前記第２のアップリンクリソース許可において指定された前記リソースを介して前記ネットワークエンティティに他の通信を送信することをさらに備える、Ｃ１２に記載の方法。
［Ｃ１４］
前記第２のアップリンクリソース許可において指定された前記リソースを介した通信の送信よりも、前記第１のＴＴＩに関係する前記アップリンクリソース許可において指定された前記リソースを介した通信の送信を優先させることをさらに備える、Ｃ１２に記載の方法。
［Ｃ１５］
優先させることは、前記ＴＴＩまたは前記第２のＴＴＩの間に前記第２のアップリンクリソース許可において指定された前記リソースを介した通信の送信をドロップすることを備える、Ｃ１４に記載の方法。
［Ｃ１６］
前記第２のアップリンクリソース許可は、ロングタームエボリューションにおいて、物理アップリンク制御チャネル、物理アップリンク共有チャネル、またはサウンディング基準信号のうちの１つに対応する、Ｃ１４に記載の方法。
［Ｃ１７］
前記ＴＴＩにわたるチャネル推定または干渉推定のうちの少なくとも１つを容易にするために、前記アップリンクリソース許可に対応する変調シンボルのセットで１つまたは複数の変調シンボルをパンクチャすることをさらに備える、Ｃ１に記載の方法。
［Ｃ１８］
前記１つまたは複数の変調シンボルは、１つまたは複数の決定された値を有する、Ｃ１７に記載の方法。
［Ｃ１９］
前記１つまたは複数の変調シンボルは、前記アップリンクリソース許可に対応する変調次数よりも低い前記変調次数を有する、Ｃ１７に記載の方法。
［Ｃ２０］
ワイヤレスネットワークにおいて通信するためのユーザ機器であって、
トランシーバと、
前記ワイヤレスネットワークにおいて通信するためのバスを介して前記トランシーバと通信可能に結合された少なくとも１つのプロセッサと、
前記バスを介して前記少なくとも１つのプロセッサおよび／または前記トランシーバと通信可能に結合されたメモリと
を備え、
前記少なくとも１つのプロセッサおよび前記メモリは、
前記トランシーバを介して、前記ワイヤレスネットワークにおいて通信するためにネットワークエンティティからアップリンクリソース許可を受信することと、
前記アップリンクリソース許可に基づいてサブフレーム内のアップリンク送信のための送信時間間隔（ＴＴＩ）を決定することと、ここにおいて、前記ＴＴＩが、前記サブフレーム中の複数のシンボルのサブセットである１つまたは複数のシンボルを備える、
前記トランシーバを介して、前記ＴＴＩの間に前記アップリンクリソース許可において指定されたリソースを介して前記ネットワークエンティティに通信を送信することとを行うように動作可能である、ユーザ機器。
［Ｃ２１］
前記ＴＴＩの持続時間は、シンボル持続時間、２シンボル持続時間、またはスロット持続時間のうちの少なくとも１つを備え、前記サブフレームが２つのスロットを備える、Ｃ２０に記載のユーザ機器。
［Ｃ２２］
前記ＴＴＩにおける前記１つまたは複数のシンボルの各々は、直交周波数分割多重化（ＯＦＤＭ）シンボルまたはシングルキャリア周波数分割多重化（ＳＣ−ＦＤＭ）シンボルのうちの１つに基づく、Ｃ２０に記載のユーザ機器。
［Ｃ２３］
前記アップリンクリソース許可は、１つまたは複数のアップリンクチャネル上における制御またはデータ送信のために前記１つまたは複数のシンボルの少なくとも一部分の中に１つまたは複数のリソースブロック（ＲＢ）グループを割り振り、前記１つまたは複数のＲＢグループの各々は、複数のＲＢを備える、Ｃ２０に記載のユーザ機器。
［Ｃ２４］
前記アップリンクリソース許可は、少なくとも２つのＲＢグループを割り振り、前記少なくとも２つのＲＢグループは、周波数において連続している、Ｃ２３に記載のユーザ機器。
［Ｃ２５］
前記１つまたは複数のＲＢグループは、実質的に等しい数のＲＢを各々が有する２つ以上のＲＢグループを備える、Ｃ２３に記載のユーザ機器。
［Ｃ２６］
前記１つまたは複数のＲＢグループの各々は、ある数のＲＢを備え、前記数が２、３、または５の整数倍である、Ｃ２３に記載のユーザ機器。
［Ｃ２７］
前記少なくとも１つのプロセッサおよび前記メモリは、前記アップリンクリソース許可の構成された開始オフセットまたはシステム帯域幅のうちの少なくとも１つに基づいて、前記１つまたは複数のＲＢグループのサイズを決定するようにさらに動作可能である、Ｃ２３に記載のユーザ機器。
［Ｃ２８］
前記少なくとも１つのプロセッサおよび前記メモリは、シンボルタイプに基づいて、前記１つまたは複数のＲＢグループのサイズを決定するようにさらに動作可能であり、前記シンボルタイプが、サウンディング基準信号（ＳＲＳ）送信のために構成可能な第１のタイプ、またはＳＲＳ送信のために構成可能ではない第２のタイプを備える、Ｃ２３に記載のユーザ機器。
［Ｃ２９］
前記少なくとも１つのプロセッサおよび前記メモリは、多段階リソース許可の一部として前記アップリンクリソース許可を受信するように動作可能であり、第１段階の許可が変調およびコーディング方式（ＭＣＳ）、送信電力制御、またはプリコーディング情報のうちの少なくとも１つを含み、第２段階の許可が新規データインジケータ、ハイブリッド自動再送／要求（ＨＡＲＱ）プロセスアイデンティティ、デルタＭＣＳ、復調基準信号サイクリックシフト、ＵＬＬ基準信号トリガリングインジケータ、非周期的チャネル状態情報トリガリングインジケータ、もしくは前記アップリンクリソース許可における割り振られたリソースの指示、またはそれらの任意の組合せのうちの少なくとも１つを含む、Ｃ２０に記載のユーザ機器。
［Ｃ３０］
前記少なくとも１つのプロセッサおよび前記メモリは、トランスポートブロックサイズ（ＴＢＳ）スケーリング係数を決定し、前記ＴＢＳスケーリング係数に基づいて計算されたＴＢＳに少なくとも部分的に基づいて前記通信を送信するようにさらに動作可能である、Ｃ２０に記載のユーザ機器。
［Ｃ３１］
前記少なくとも１つのプロセッサおよび前記メモリは、第１のＴＴＩを決定することに基づいて前記ＴＴＩを決定するように、また、
前記トランシーバを介して、前記ワイヤレスネットワークにおいて通信するために前記ネットワークエンティティから第２のアップリンクリソース許可を受信することと、
前記第２のアップリンクリソース許可に基づいて第２のアップリンク送信のための第２のＴＴＩを決定することと、ここにおいて、前記第２のＴＴＩが前記サブフレームを備える、
を行うように動作可能である、Ｃ２０に記載のユーザ機器。
［Ｃ３２］
前記少なくとも１つのプロセッサおよび前記メモリは、前記トランシーバを介して、前記第１のＴＴＩに関係する前記アップリンクリソース許可において指定された前記リソースを介した前記通信と並行して、前記第２のＴＴＩの間に前記第２のアップリンクリソース許可において指定された前記リソースを介して前記ネットワークエンティティに他の通信を送信するようにさらに動作可能である、Ｃ３１に記載のユーザ機器。
［Ｃ３３］
前記少なくとも１つのプロセッサおよび前記メモリは、前記第２のアップリンクリソース許可において指定された前記リソースを介した通信の送信よりも、前記第１のＴＴＩに関係する前記アップリンクリソース許可において指定された前記リソースを介した通信の送信を優先させるようにさらに動作可能である、Ｃ３１に記載のユーザ機器。
［Ｃ３４］
前記少なくとも１つのプロセッサおよび前記メモリは、前記ＴＴＩまたは前記第２のＴＴＩの間に前記第２のアップリンクリソース許可において指定された前記リソースを介した通信の送信をドロップすることによって、通信の前記送信を、少なくとも部分的に、優先させるように動作可能である、Ｃ３３に記載のユーザ機器。
［Ｃ３５］
前記第２のアップリンクリソース許可は、ロングタームエボリューションにおいて、物理アップリンク制御チャネル、物理アップリンク共有チャネル、またはサウンディング基準信号のうちの１つに対応する、Ｃ３３に記載のユーザ機器。
［Ｃ３６］
前記少なくとも１つのプロセッサおよび前記メモリは、前記ＴＴＩにわたるチャネル推定または干渉推定のうちの少なくとも１つを容易にするために、前記アップリンクリソース許可に対応する変調シンボルのセットで１つまたは複数の変調シンボルをパンクチャするようにさらに動作可能である、Ｃ２０に記載のユーザ機器。
［Ｃ３７］
前記１つまたは複数の変調シンボルは、１つまたは複数の決定された値を有する、Ｃ３６に記載のユーザ機器。
［Ｃ３８］
前記１つまたは複数の変調シンボルは、前記アップリンクリソース許可に対応する変調次数よりも低い前記変調次数を有する、Ｃ３６に記載のユーザ機器。
［Ｃ３９］
ワイヤレスネットワークにおいて通信するためのユーザ機器であって、
前記ワイヤレスネットワークにおいて通信するためにネットワークエンティティからアップリンクリソース許可を受信するための手段と、
前記アップリンクリソース許可に基づいてサブフレーム内のアップリンク送信のための送信時間間隔（ＴＴＩ）を決定するための手段と、ここにおいて、前記ＴＴＩが、前記サブフレーム中の複数のシンボルのサブセットである１つまたは複数のシンボルを備える、
前記ＴＴＩの間に前記アップリンクリソース許可において指定されたリソースを介して前記ネットワークエンティティに通信を送信するための手段と
を備えるユーザ機器。
［Ｃ４０］
前記ＴＴＩの持続時間は、シンボル持続時間、２シンボル持続時間、またはスロット持続時間のうちの少なくとも１つを備え、前記サブフレームが２つのスロットを備える、Ｃ３９に記載のユーザ機器。
［Ｃ４１］
前記ＴＴＩにおける前記１つまたは複数のシンボルの各々は、直交周波数分割多重化（ＯＦＤＭ）シンボルまたはシングルキャリア周波数分割多重化（ＳＣ−ＦＤＭ）シンボルのうちの１つに基づく、Ｃ３９に記載のユーザ機器。
［Ｃ４２］
前記アップリンクリソース許可は、１つまたは複数のアップリンクチャネル上における制御またはデータ送信のために前記１つまたは複数のシンボルの少なくとも一部分の中に１つまたは複数のリソースブロック（ＲＢ）グループを割り振り、前記１つまたは複数のＲＢグループの各々は、複数のＲＢを備える、Ｃ３９に記載のユーザ機器。
［Ｃ４３］
前記アップリンクリソース許可を受信するための前記手段は、多段階リソース許可の一部として前記アップリンクリソース許可を受信し、第１段階の許可が変調およびコーディング方式（ＭＣＳ）、送信電力制御、またはプリコーディング情報のうちの少なくとも１つを含み、第２段階の許可が新規データインジケータ、ハイブリッド自動再送／要求（ＨＡＲＱ）プロセスアイデンティティ、デルタＭＣＳ、復調基準信号サイクリックシフト、ＵＬＬ基準信号トリガリングインジケータ、非周期的チャネル状態情報トリガリングインジケータ、もしくは前記アップリンクリソース許可における割り振られたリソースの指示、またはそれらの任意の組合せのうちの少なくとも１つを含む、Ｃ３９に記載のユーザ機器。
［Ｃ４４］
トランスポートブロックサイズ（ＴＢＳ）スケーリング係数を決定するための手段をさらに備え、送信するための前記手段が、前記ＴＢＳスケーリング係数に基づいて計算されたＴＢＳに少なくとも部分的に基づいて前記通信を送信する、Ｃ３９に記載のユーザ機器。
［Ｃ４５］
前記ＴＴＩを決定するための前記手段は、第１のＴＴＩを決定し、前記ユーザ機器は、
前記ワイヤレスネットワークにおいて通信するために前記ネットワークエンティティから第２のアップリンクリソース許可を受信するための手段と、
前記第２のアップリンクリソース許可に基づいて第２のアップリンク送信のための第２のＴＴＩを決定するための手段と、ここにおいて、前記第２のＴＴＩが前記サブフレームを備える、
をさらに備える、Ｃ３９に記載のユーザ機器。
［Ｃ４６］
前記ＴＴＩにわたるチャネル推定または干渉推定のうちの少なくとも１つを容易にするために、前記アップリンクリソース許可に対応する変調シンボルのセットで１つまたは複数の変調シンボルをパンクチャするための手段をさらに備える、Ｃ３９に記載のユーザ機器。
［Ｃ４７］
ワイヤレスネットワークにおいて通信するためのコンピュータ実行可能コードを備えるコンピュータ可読記憶媒体であって、前記コードは、
前記ワイヤレスネットワークにおいて通信するためにネットワークエンティティからアップリンクリソース許可を受信するためのコードと、
前記アップリンクリソース許可に基づいてサブフレーム内のアップリンク送信のための送信時間間隔（ＴＴＩ）を決定するためのコードと、ここにおいて、前記ＴＴＩが、前記サブフレーム中の複数のシンボルのサブセットである１つまたは複数のシンボルを備える、
前記ＴＴＩの間に前記アップリンクリソース許可において指定されたリソースを介して前記ネットワークエンティティに通信を送信するためのコードと
を備える、コンピュータ可読記憶媒体。
［Ｃ４８］
前記ＴＴＩの持続時間は、シンボル持続時間、２シンボル持続時間、またはスロット持続時間のうちの少なくとも１つを備え、前記サブフレームが２つのスロットを備える、Ｃ４７に記載のコンピュータ可読記憶媒体。
［Ｃ４９］
前記ＴＴＩにおける前記１つまたは複数のシンボルの各々は、直交周波数分割多重化（ＯＦＤＭ）シンボルまたはシングルキャリア周波数分割多重化（ＳＣ−ＦＤＭ）シンボルのうちの１つに基づく、Ｃ４７に記載のコンピュータ可読記憶媒体。
［Ｃ５０］
前記アップリンクリソース許可は、１つまたは複数のアップリンクチャネル上における制御またはデータ送信のために前記１つまたは複数のシンボルの少なくとも一部分の中に１つまたは複数のリソースブロック（ＲＢ）グループを割り振り、前記１つまたは複数のＲＢグループの各々は、複数のＲＢを備える、Ｃ４７に記載のコンピュータ可読記憶媒体。
［Ｃ５１］
前記アップリンクリソース許可を受信するための前記コードは、多段階リソース許可の一部として前記アップリンクリソース許可を受信し、第１段階の許可が変調およびコーディング方式（ＭＣＳ）、送信電力制御、またはプリコーディング情報のうちの少なくとも１つを含み、第２段階の許可が新規データインジケータ、ハイブリッド自動再送／要求（ＨＡＲＱ）プロセスアイデンティティ、デルタＭＣＳ、復調基準信号サイクリックシフト、ＵＬＬ基準信号トリガリングインジケータ、非周期的チャネル状態情報トリガリングインジケータ、もしくは前記アップリンクリソース許可における割り振られたリソースの指示、またはそれらの任意の組合せのうちの少なくとも１つを含む、Ｃ４７に記載のコンピュータ可読記憶媒体。
［Ｃ５２］
トランスポートブロックサイズ（ＴＢＳ）スケーリング係数を決定するためのコードをさらに備え、送信するためのコードが、前記ＴＢＳスケーリング係数に基づいて計算されたＴＢＳに少なくとも部分的に基づいて前記通信を送信する、Ｃ４７に記載のコンピュータ可読記憶媒体。
［Ｃ５３］
前記ＴＴＩを決定するための前記コードは、第１のＴＴＩを決定し、前記コンピュータ可読記憶媒体は、
前記ワイヤレスネットワークにおいて通信するために前記ネットワークエンティティから第２のアップリンクリソース許可を受信するためのコードと、
前記第２のアップリンクリソース許可に基づいて第２のアップリンク送信のための第２のＴＴＩを決定するためのコードと、ここにおいて、前記第２のＴＴＩが前記サブフレームを備える、
をさらに備える、Ｃ４７に記載のコンピュータ可読記憶媒体。
［Ｃ５４］
前記ＴＴＩにわたるチャネル推定または干渉推定のうちの少なくとも１つを容易にするために、前記アップリンクリソース許可に対応する変調シンボルのセットで１つまたは複数の変調シンボルをパンクチャするためのコードをさらに備える、Ｃ４７に記載のコンピュータ可読記憶媒体。
［Ｃ５５］
ワイヤレスネットワークにおいて通信するための方法であって、
サブフレーム中の複数のシンボルのサブセットである１つまたは複数のシンボルを備える送信時間間隔（ＴＴＩ）に基づいて、ユーザ機器（ＵＥ）のためのアップリンク通信をスケジュールするために、前記ＵＥのためのアップリンクリソース許可を生成することと、
前記ＵＥに前記アップリンクリソース許可を通信することと、
前記アップリンクリソース許可に基づいて前記ＴＴＩの間に前記ＵＥから前記アップリンク通信を受信することと
を備える方法。
［Ｃ５６］
前記ＴＴＩの持続時間は、シンボル持続時間、２シンボル持続時間、またはスロット持続時間のうちの少なくとも１つを備え、前記サブフレームが２つのスロットを備える、Ｃ５５に記載の方法。
［Ｃ５７］
前記ＴＴＩにおける前記１つまたは複数のシンボルの各々は、直交周波数分割多重化（ＯＦＤＭ）シンボルまたはシングルキャリア周波数分割多重化（ＳＣ−ＦＤＭ）シンボルのうちの１つに基づく、Ｃ５５に記載の方法。
［Ｃ５８］
前記アップリンクリソース許可は、１つまたは複数のアップリンクチャネル上における制御またはデータ送信のために前記１つまたは複数のシンボルの少なくとも一部分の中に１つまたは複数のリソースブロック（ＲＢ）グループを割り振り、前記１つまたは複数のＲＢグループの各々は、複数のＲＢを備える、Ｃ５５に記載の方法。
［Ｃ５９］
前記アップリンクリソース許可は、少なくとも２つのＲＢグループを割り振り、前記少なくとも２つのＲＢグループは、周波数において連続している、Ｃ５８に記載の方法。
［Ｃ６０］
前記１つまたは複数のＲＢグループは、実質的に等しい数のＲＢを各々が有する２つ以上のＲＢグループを備える、Ｃ５８に記載の方法。
［Ｃ６１］
前記１つまたは複数のＲＢグループの各々は、ある数のＲＢを備え、前記数が２、３、または５の整数倍である、Ｃ５８に記載の方法。
［Ｃ６２］
前記アップリンクリソース許可における構成された開始オフセットまたはシステム帯域幅のうちの少なくとも１つに基づいて、前記１つまたは複数のＲＢグループのサイズを示すことをさらに備える、Ｃ５８に記載の方法。
［Ｃ６３］
前記ＵＥに前記アップリンクリソース許可を通信することは、変調およびコーディング方式（ＭＣＳ）、送信電力制御、またはプリコーディング情報のうちの少なくとも１つを含む第１段階の許可と、新規データインジケータ、ハイブリッド自動再送／要求（ＨＡＲＱ）プロセスアイデンティティ、デルタＭＣＳ、復調基準信号サイクリックシフト、ＵＬＬ基準信号トリガリングインジケータ、非周期的チャネル状態情報トリガリングインジケータ、もしくは前記アップリンクリソース許可における割り振られたリソースの指示、またはそれらの任意の組合せのうちの少なくとも１つを含む第２段階の許可と、を備える多段階リソース許可を前記ＵＥに通信することを備える、Ｃ５５に記載の方法。
［Ｃ６４］
前記アップリンク通信においてトランスポートブロックサイズ（ＴＢＳ）をスケーリングするために、前記ＵＥにＴＢＳスケーリング係数を通信することをさらに備える、Ｃ５５に記載の方法。
［Ｃ６５］
第２のＴＴＩに基づいて付加的なアップリンク通信をスケジュールするために、前記ＵＥまたは１つもしくは複数の他のＵＥのための第２のアップリンクリソース許可を生成することと、ここにおいて、前記第２のＴＴＩの第２の持続時間が前記サブフレームを備える、
前記ＵＥまたは前記１つもしくは複数の他のＵＥに前記第２のアップリンクリソース許可を通信することと、
前記第２のアップリンクリソース許可に基づいて前記第２のＴＴＩの間に、前記ＵＥまたは前記１つもしくは複数の他のＵＥから前記付加的なアップリンク通信を受信することと
をさらに備える、Ｃ５５に記載の方法。
［Ｃ６６］
前記付加的なアップリンク通信を受信することは、前記アップリンク通信と並行して前記付加的なアップリンク通信を受信することを備える、Ｃ６５に記載の方法。
［Ｃ６７］
前記アップリンク通信で受信された１つまたは複数の変調シンボルと、構成された変調シンボルのセットとを比較することに少なくとも部分的に基づいて、チャネル推定または干渉推定のうちの少なくとも１つを実行することをさらに備える、Ｃ５５に記載の方法。
［Ｃ６８］
前記１つまたは複数の変調シンボルは、前記アップリンクリソース許可に対応する変調次数よりも低い前記変調次数を有する、Ｃ６７に記載の方法。
［Ｃ６９］
ワイヤレスネットワークにおいて通信するための発展型ＮｏｄｅＢ（ｅＮＢ）であって、
トランシーバと、
前記ワイヤレスネットワークにおいて通信するためのバスを介して前記トランシーバと通信可能に結合された少なくとも１つのプロセッサと、
前記バスを介して前記少なくとも１つのプロセッサおよび／または前記トランシーバと通信可能に結合されたメモリと
を備え、
前記少なくとも１つのプロセッサおよび前記メモリは、
サブフレーム中の複数のシンボルのサブセットである１つまたは複数のシンボルあるいはシンボルのスロットを少なくとも備える送信時間間隔（ＴＴＩ）に基づいて、ユーザ機器（ＵＥ）のためのアップリンク通信をスケジュールするために、前記ＵＥのためのアップリンクリソース許可を生成することと、
前記トランシーバを介して、前記ＵＥに前記アップリンクリソース許可を通信することと、
前記トランシーバを介して、前記アップリンクリソース許可に基づいて前記ＴＴＩの間に前記ＵＥから前記アップリンク通信を受信することと
を行うように動作可能である、ｅＮＢ。
［Ｃ７０］
前記ＴＴＩの持続時間は、シンボル持続時間、２シンボル持続時間、またはスロット持続時間のうちの少なくとも１つを備え、前記サブフレームが２つのスロットを備える、Ｃ６９に記載のｅＮＢ。
［Ｃ７１］
前記ＴＴＩにおける前記１つまたは複数のシンボルの各々は、直交周波数分割多重化（ＯＦＤＭ）シンボルまたはシングルキャリア周波数分割多重化（ＳＣ−ＦＤＭ）シンボルのうちの１つに基づく、Ｃ６９に記載のｅＮＢ。
［Ｃ７２］
前記アップリンクリソース許可は、１つまたは複数のアップリンクチャネル上における制御またはデータ送信のために前記１つまたは複数のシンボルの少なくとも一部分の中に１つまたは複数のリソースブロック（ＲＢ）グループを割り振り、前記１つまたは複数のＲＢグループの各々は、複数のＲＢを備える、Ｃ６９に記載のｅＮＢ。
［Ｃ７３］
前記少なくとも１つのプロセッサおよび前記メモリは、変調およびコーディング方式（ＭＣＳ）、送信電力制御、またはプリコーディング情報のうちの少なくとも１つを含む第１段階の許可と、新規データインジケータ、ハイブリッド自動再送／要求（ＨＡＲＱ）プロセスアイデンティティ、デルタＭＣＳ、復調基準信号サイクリックシフト、ＵＬＬ基準信号トリガリングインジケータ、非周期的チャネル状態情報トリガリングインジケータ、もしくは前記アップリンクリソース許可における割り振られたリソースの指示、またはそれらの任意の組合せのうちの少なくとも１つを含む第２段階の許可と、を備える多段階リソース許可として前記ＵＥに前記アップリンクリソース許可を通信するように構成される、Ｃ６９に記載のｅＮＢ。
［Ｃ７４］
前記少なくとも１つのプロセッサおよび前記メモリは、前記トランシーバを介して、前記アップリンク通信においてトランスポートブロックサイズ（ＴＢＳ）をスケーリングするために、前記ＵＥにＴＢＳスケーリング係数を通信するようにさらに構成される、Ｃ６９に記載のｅＮＢ。
［Ｃ７５］
前記少なくとも１つのプロセッサおよび前記メモリは、
第２のＴＴＩに基づいて付加的なアップリンク通信をスケジュールするために、前記ＵＥまたは１つもしくは複数の他のＵＥのための第２のアップリンクリソース許可を生成することと、ここにおいて、前記第２のＴＴＩの第２の持続時間が前記サブフレームを備える、
前記トランシーバを介して、前記ＵＥまたは前記１つもしくは複数の他のＵＥに前記第２のアップリンクリソース許可を通信することと、
前記トランシーバを介して、前記第２のアップリンクリソース許可に基づいて前記第２のＴＴＩの間に、前記ＵＥまたは前記１つもしくは複数の他のＵＥから前記付加的なアップリンク通信を受信することと
を行うようにさらに構成される、Ｃ６９に記載のｅＮＢ。
［Ｃ７６］
前記少なくとも１つのプロセッサおよび前記メモリは、前記アップリンク通信で受信された１つまたは複数の変調シンボルと、構成された変調シンボルのセットとを比較することに少なくとも部分的に基づいて、チャネル推定または干渉推定のうちの少なくとも１つを実行するようにさらに構成される、Ｃ６９に記載のｅＮＢ。
［Ｃ７７］
ワイヤレスネットワークにおいて通信するための発展型ＮｏｄｅＢ（ｅＮＢ）であって、
サブフレーム中の複数のシンボルのサブセットである１つまたは複数のシンボルを備える送信時間間隔（ＴＴＩ）に基づいて、ユーザ機器（ＵＥ）のためのアップリンク通信をスケジュールするために、前記ＵＥのためのアップリンクリソース許可を生成するための手段と、
前記ＵＥに前記アップリンクリソース許可を通信するための手段と、
前記アップリンクリソース許可に基づいて前記ＴＴＩの間に前記ＵＥから前記アップリンク通信を受信するための手段と
を備えるｅＮＢ。
［Ｃ７８］
前記ＴＴＩの持続時間は、シンボル持続時間、２シンボル持続時間、またはスロット持続時間のうちの少なくとも１つを備え、前記サブフレームが２つのスロットを備える、Ｃ７７に記載のｅＮＢ。
［Ｃ７９］
前記ＴＴＩにおける前記１つまたは複数のシンボルの各々は、直交周波数分割多重化（ＯＦＤＭ）シンボルまたはシングルキャリア周波数分割多重化（ＳＣ−ＦＤＭ）シンボルのうちの１つに基づく、Ｃ７７に記載のｅＮＢ。
［Ｃ８０］
前記アップリンクリソース許可は、１つまたは複数のアップリンクチャネル上における制御またはデータ送信のために前記１つまたは複数のシンボルの少なくとも一部分の中に１つまたは複数のリソースブロック（ＲＢ）グループを割り振り、前記１つまたは複数のＲＢグループの各々は、複数のＲＢを備える、Ｃ７７に記載のｅＮＢ。
［Ｃ８１］
前記アップリンクリソース許可を通信するための前記手段は、変調およびコーディング方式（ＭＣＳ）、送信電力制御、またはプリコーディング情報のうちの少なくとも１つを含む第１段階の許可と、新規データインジケータ、ハイブリッド自動再送／要求（ＨＡＲＱ）プロセスアイデンティティ、デルタＭＣＳ、復調基準信号サイクリックシフト、ＵＬＬ基準信号トリガリングインジケータ、非周期的チャネル状態情報トリガリングインジケータ、もしくは前記アップリンクリソース許可における割り振られたリソースの指示、またはそれらの任意の組合せのうちの少なくとも１つを含む第２段階の許可と、を備える多段階リソース許可として前記ＵＥに前記アップリンクリソース許可を通信する、Ｃ７７に記載のｅＮＢ。
［Ｃ８２］
前記アップリンク通信においてトランスポートブロックサイズ（ＴＢＳ）をスケーリングするために、前記ＵＥにＴＢＳスケーリング係数を通信するための手段をさらに備える、Ｃ７７に記載のｅＮＢ。
［Ｃ８３］
第２のＴＴＩに基づいて付加的なアップリンク通信をスケジュールするために、前記ＵＥまたは１つもしくは複数の他のＵＥのための第２のアップリンクリソース許可を生成するための手段と、ここにおいて、前記第２のＴＴＩの第２の持続時間が前記サブフレームを備える、
前記ＵＥまたは前記１つもしくは複数の他のＵＥに前記第２のアップリンクリソース許可を通信するための手段と、
前記第２のアップリンクリソース許可に基づいて前記第２のＴＴＩの間に、前記ＵＥまたは前記１つもしくは複数の他のＵＥから前記付加的なアップリンク通信を受信するための手段と
をさらに備える、Ｃ７７に記載のｅＮＢ。
［Ｃ８４］
前記アップリンク通信で受信された１つまたは複数の変調シンボルと、構成された変調シンボルのセットとを比較することに少なくとも部分的に基づいて、チャネル推定または干渉推定のうちの少なくとも１つを実行するための手段をさらに備える、Ｃ７７に記載のｅＮＢ。
［Ｃ８５］
ワイヤレスネットワークにおいて通信するためのコンピュータ実行可能コードを備えるコンピュータ可読記憶媒体であって、前記コードは、
サブフレーム中の複数のシンボルのサブセットである１つまたは複数のシンボルを備える送信時間間隔（ＴＴＩ）に基づいて、ユーザ機器（ＵＥ）のためのアップリンク通信をスケジュールするために、前記ＵＥのためのアップリンクリソース許可を生成するためのコードと、
前記ＵＥに前記アップリンクリソース許可を通信するためのコードと、
前記アップリンクリソース許可に基づいて前記ＴＴＩの間に前記ＵＥから前記アップリンク通信を受信するためのコードと
を備えるコンピュータ可読記憶媒体。
［Ｃ８６］
前記ＴＴＩの持続時間は、シンボル持続時間、２シンボル持続時間、またはスロット持続時間のうちの少なくとも１つを備え、前記サブフレームが２つのスロットを備える、Ｃ８５に記載のコンピュータ可読記憶媒体。
［Ｃ８７］
前記ＴＴＩにおける前記１つまたは複数のシンボルの各々は、直交周波数分割多重化（ＯＦＤＭ）シンボルまたはシングルキャリア周波数分割多重化（ＳＣ−ＦＤＭ）シンボルのうちの１つに基づく、Ｃ８５に記載のコンピュータ可読記憶媒体。
［Ｃ８８］
前記アップリンクリソース許可は、１つまたは複数のアップリンクチャネル上における制御またはデータ送信のために前記１つまたは複数のシンボルの少なくとも一部分の中に１つまたは複数のリソースブロック（ＲＢ）グループを割り振り、前記１つまたは複数のＲＢグループの各々は、複数のＲＢを備える、Ｃ８５に記載のコンピュータ可読記憶媒体。
［Ｃ８９］
前記アップリンクリソース許可を通信するための前記コードは、変調およびコーディング方式（ＭＣＳ）、送信電力制御、またはプリコーディング情報のうちの少なくとも１つを含む第１段階の許可と、新規データインジケータ、ハイブリッド自動再送／要求（ＨＡＲＱ）プロセスアイデンティティ、デルタＭＣＳ、復調基準信号サイクリックシフト、ＵＬＬ基準信号トリガリングインジケータ、非周期的チャネル状態情報トリガリングインジケータ、もしくは前記アップリンクリソース許可における割り振られたリソースの指示、またはそれらの任意の組合せのうちの少なくとも１つを含む第２段階の許可と、を備える多段階リソース許可として前記ＵＥに前記アップリンクリソース許可を通信する、Ｃ８５に記載のコンピュータ可読記憶媒体。
［Ｃ９０］
前記アップリンク通信においてトランスポートブロックサイズ（ＴＢＳ）をスケーリングするために、前記ＵＥにＴＢＳスケーリング係数を通信するためのコードをさらに備える、Ｃ８５に記載のコンピュータ可読記憶媒体。
［Ｃ９１］
第２のＴＴＩに基づいて付加的なアップリンク通信をスケジュールするために、前記ＵＥまたは１つもしくは複数の他のＵＥのための第２のアップリンクリソース許可を生成するためのコードと、ここにおいて、前記第２のＴＴＩの第２の持続時間が前記サブフレームを備える、
前記ＵＥまたは前記１つもしくは複数の他のＵＥに前記第２のアップリンクリソース許可を通信するためのコードと、
前記第２のアップリンクリソース許可に基づいて前記第２のＴＴＩの間に、前記ＵＥまたは前記１つもしくは複数の他のＵＥから前記付加的なアップリンク通信を受信するためのコードと
をさらに備える、Ｃ８５に記載のコンピュータ可読記憶媒体。
［Ｃ９２］
前記アップリンク通信で受信された１つまたは複数の変調シンボルと、構成された変調シンボルのセットとを比較することに少なくとも部分的に基づいて、チャネル推定または干渉推定のうちの少なくとも１つを実行するためのコードをさらに備える、Ｃ８５に記載のコンピュータ可読記憶媒体。